(57)【要約】【課題】高い通気性や放熱性を得ながら、十分な衝撃吸収能力を有するヘルメットを提供する。【解決手段】ハンモック２の脚部を頭頂部から下方に延びる４つの脚部を一対の前方脚部６ａ，６ｂおよび一対の後方脚部７ａ，７ｂとし、一対の前方脚部６ａ，６ｂを頭頂部側から連結部８に円弧状に延びる全体アーチ型に形成すると共に、一対の後方脚部７ａ，７ｂを頭頂部側から連結部８に円弧状に延びる全体アーチ型に形成することで、かかる前方および後方のアーチ型の形状が着用者の転倒や墜落時に受ける頭頂部側以外の方向から受ける衝撃力を十分に吸収する。【選択図】図１
2016075021.tif 000002
【特許請求の範囲】
【請求項１】
硬質の帽体と、該帽体の内側に設けられて人頭に接するハンモック及びヘッドバンドからなる着装体とを備えるヘルメットにおいて、
前記ハンモックは、
互いに間隔を存して頭頂部側から下方に延びる４つの帯状の脚部と、
前記脚部の下端に、前記帽体に着脱自在に連結する連結部と
を備え、
前記脚部は、前頭部側に位置する一対の前方脚部と後頭部側に位置する一対の後方脚部とを有し、該一対の前方脚部が頭頂部側から前記連結部に円弧状に延びて全体としてアーチ型に形成されると共に、該一対の後方脚部が頭頂部側から前記連結部に円弧状に延びて全体としてアーチ型に形成されることを特徴とするヘルメット。
【請求項２】
請求項１記載のヘルメットにおいて、
前記脚部は、前記一対の前方脚部が頭頂部側から前記連結部に円弧状に延びて全体として半円形状に形成されると共に、前記一対の後方脚部が頭頂部側から前記連結部に円弧状に延びて全体として半円形状に形成されることを特徴とするヘルメット。
【請求項３】
請求項１または２記載のヘルメットにおいて、
前記各脚部間に、互いに隣り合う脚部同士を繋いで周方向に延びる帯状の桁部と、
前記桁部の前方と後方とを繋ぎ、前記一対の後方脚部と前記一対の前方脚部とに接続された懸架部とを
備えることを特徴とするヘルメット。
【請求項４】
請求項３に記載のヘルメットにおいて、
前記桁部に、前記脚部の撓みや伸びに応じて前記帽体の内面に当接することにより前記桁部と前記帽体との間の空隙を保持する空隙保持部を設けたことを特徴とするヘルメット。
【請求項５】
請求項４記載のヘルメットにおいて、
前記空隙保持部は、前記桁部の周方向に沿って互いに間隔を存して配設された複数の板状部によって構成されており、
各板状部は、互いに板面を対向させて両板面間の間隔部分が通気自在とされていることを特徴とするヘルメット。
【発明の詳細な説明】
【技術分野】
【０００１】
本発明は、硬質の帽体と、該帽体の内側に設けられて人頭に接するハンモック及びヘッドバンドからなる着装体とを備えるヘルメットに関する。
【背景技術】
【０００２】
ヘルメットは、硬質の帽体と、帽体に取り付けられる着装体とを備えている。着装体は、人頭に接するハンモック、ヘッドバンド、環紐類等によって構成される。
【０００３】
従来のハンモックは、頭頂部から放射状に延出する複数の脚部を備え、各脚部の下端部は、帽体の下縁側内面に着脱自在に連結されている。また、日本工業規格で規定される産業用安全帽では、帽体とハンモックの間には、通常、衝撃吸収ライナが装着されている（例えば、特許文献１参照）。
【０００４】
衝撃吸収ライナは、帽体に衝撃のエネルギーが加わったときに、人頭に伝わる衝撃の運動エネルギーを吸収するために帽体内部に挿入する着装体以外の部品である。衝撃吸収ライナは、発泡スチロール等により形成されており、帽体の内面の殆どの範囲を覆っている。これにより、着用者の転倒や転落による墜落時に前頭部と後頭部との何れの側から衝撃を受けても、そのときの衝撃力を衝撃吸収ライナが適切に吸収して人頭を保護することができるようになっている。  
【先行技術文献】
【特許文献】
【０００５】
【特許文献１】特開平８−３１１７１３号公報
【発明の概要】
【発明が解決しようとする課題】
【０００６】
しかし、帽体と着装体との間に衝撃吸収ライナが設けられていると、帽体と人頭との間の空隙が僅かとなることから、帽体内部の通気性が悪く、衝撃吸収ライナにより放熱も阻害される。このため、帽体内部に熱こもりや蒸れが生じて着用時の快適性が損なわれる不都合がある。
【０００７】
そこで、通気性や放熱性を確保するために、帽体の内面から衝撃吸収ライナを取り除くことが考えられる。しかし、単に、衝撃吸収ライナを取り除いた場合、帽体直上位置からの落下物等の衝突時には、ハンモックによる衝撃力の緩和が得られるものの、着用者の転倒や墜落時に受ける頭頂部側以外の方向から受ける衝撃力は殆ど吸収することができない。
【０００８】
上記の点に鑑み、本発明は、高い通気性や放熱性を得ながら、十分な衝撃吸収能力を有するヘルメットを提供することを目的とする。
【課題を解決するための手段】
【０００９】
第１発明のヘルメットは、硬質の帽体と、該帽体の内側に設けられて人頭に接するハンモック及びヘッドバンドからなる着装体とを備えるヘルメットにおいて、
前記ハンモックは、
互いに間隔を存して頭頂部側から下方に延びる４つの帯状の脚部と、
前記脚部の下端に、前記帽体に着脱自在に連結する連結部と
を備え、
前記脚部は、前頭部側に位置する一対の前方脚部と後頭部側に位置する一対の後方脚部とを有し、該一対の前方脚部が頭頂部側から前記連結部に円弧状に延びて全体としてアーチ型に形成されると共に、該一対の後方脚部が頭頂部側から前記連結部に円弧状に延びて全体としてアーチ型に形成されることを特徴とする。
【００１０】
第１発明のヘルメットによれば、本発明者らの鋭意の試験・研究によれば、ハンモックの脚部を頭頂部から下方に延びる４つの脚部を一対の前方脚部および一対の後方脚部とし、一対の前方脚部を頭頂部側から連結部に円弧状に延びる全体アーチ型に形成すると共に、一対の後方脚部を頭頂部側から連結部に円弧状に延びる全体アーチ型に形成することで、かかる前方および後方のアーチ型の形状が着用者の転倒や墜落時に受ける頭頂部側以外の方向から受ける衝撃力を十分に吸収することができる。
【００１１】
このように、第１発明のヘルメットによれば、衝撃吸収ライナを除いて高い通気性や放熱性を得ながら、十分な衝撃吸収能力を得ることができる。
【００１２】
第２発明のヘルメットは、第１発明において、
前記脚部は、前記一対の前方脚部が頭頂部側から前記連結部に円弧状に延びて全体として半円形状に形成されると共に、前記一対の後方脚部が頭頂部側から前記連結部に円弧状に延びて全体として半円形状に形成されることを特徴とする。
【００１３】
第２発明のヘルメットによれば、一対の前方脚部をアーチ型として半円形状に形成すると共に、一対の後方脚部をアーチ型として半円形状に形成することで、かかる前方および後方の半円形状が着用者の転倒や墜落時に受ける頭頂部側以外の方向の衝撃吸収力を高めることができる。
【００１４】
このように、第２発明のヘルメットによれば、衝撃吸収ライナを除いて高い通気性や放熱性を得ながら、高い衝撃吸収能力を得ることができる。
【００１５】
第３発明のヘルメットは、第１または第２発明において、
前記各脚部間に、互いに隣り合う脚部同士を繋いで周方向に延びる帯状の桁部と、
前記桁部の前方と後方とを繋ぎ、前記一対の後方脚部と前記一対の前方脚部とに接続された懸架部とを
備えることを特徴とする。
【００１６】
第３発明のヘルメットによれば、各脚部間を環状に繋いた帯状の桁部を設けると共に、桁部の前方と後方とを繋ぎ、一対の後方脚部と前記一対の前方脚部とに接続された懸架部を設けることで、桁部および懸架部により帽体に加わった衝撃を分散して吸収することができ、前方および後方のアーチ型（半円形状）の脚部による衝撃吸収能力をさらに高めることができる。
【００１７】
このように、第３発明のヘルメットによれば、衝撃吸収ライナを除いて高い通気性や放熱性を得ながら、より高い衝撃吸収能力を得ることができる。
【００１８】
第４発明のヘルメットは、第３発明のいずれかにおいて、
前記桁部に、前記脚部の撓みや伸びに応じて前記帽体の内面に当接することにより前記桁部と前記帽体との間の空隙を保持する空隙保持部を設けたことを特徴とする。
【００１９】
第４発明のヘルメットによれば、万一、帽体が衝撃を受けたことに伴って帽体内部で脚部が撓み、ハンモックの位置が偏って帽体内面に接近しても、空隙保持部が帽体内面とハンモックとの間に確実に空隙を形成して帽体内面にハンモックが接することが防止される。
【００２０】
このように、第４発明のヘルメットによれば、衝撃吸収ライナを除いて高い通気性や放熱性を得ながら、帽体内面にハンモックが接したために人頭に直接的に衝撃が伝達されるという事態が防止でき、衝撃に対する人頭の保護性能を向上させることができる。しかも、脚部の過剰な変形も抑えられるので、ハンモックの耐久性も向上させることができる。
【００２１】
第５発明のヘルメットは、第４発明において、
前記空隙保持部は、前記桁部の周方向に沿って互いに間隔を存して配設された複数の板状部によって構成されており、
各板状部は、互いに板面を対向させて両板面間の間隔部分が通気自在とされていることを特徴とする。
【００２２】
第５発明のヘルメットによれば、空隙保持部によって通気性を確保することにより、帽体内部の熱気や蒸れを抑えることができ、着用時の高い快適性を維持することができる。
【００２３】
このように、第５発明のヘルメットによれば、衝撃吸収ライナを除いて高い通気性や放熱性を得ながら、十分な衝撃吸収能力を得ることを具体的に実現することができる。
【図面の簡単な説明】
【００２４】
【図１】本発明の実施形態のヘルメットを示す斜視図。
【図２】図１のハンモックの平面図。
【図３】図１の着装体の背面図。
【図４】他の実施形態のハンモックの斜視図。
【図５】図４のハンモックの平面図。
【発明を実施するための形態】
【００２５】
本発明の一実施形態を図面に基づいて説明する。
【００２６】
図１において、本実施形態のヘルメットは、着装体が硬質の帽体１に取り付けられる。図１において、２は本発明の実施形態のハンモック、３はヘッドバンド、４は耳紐（環紐類）、５は顎紐である。
【００２７】
ハンモック２は、図１及び図２に示すように、人頭形状に略対応する形状とされており、４つの脚部（一対の前方脚部６ａ，６ｂ、及び、一対の後方脚部７ａ，７ｂ）を備えている。各脚部６ａ，６ｂ，７ａ，７ｂは、上下方向に延びる帯状に形成され、その下端には図示しない帽体に着脱自在に連結するための連結部８が設けられている。
【００２８】
前頭部側に位置する一対の前方脚部６ａ，６ｂは、頭頂部側から連結部８に円弧状に延びて全体として半円形状に形成されると共に、一対の後方脚部７ａ，７ｂは、頭頂部側から連結部８に円弧状に延びて全体として半円形状に形成される。
【００２９】
このように、一対の前方脚部６ａ，６ｂおよび後方脚部７ａ，７ｂを半円形状とすることで、側面方向の衝撃吸収能力が発揮され、着用者の転倒や墜落時に受ける頭頂部側以外の方向から受ける衝撃力を十分に吸収することができる。
【００３０】
ここで、各脚部６ａ，６ｂ，７ａ，７ｂには、ハンモック２の周方向の両側縁に沿って外側に突出する第１凸条９が形成されている。第１凸条９は、各脚部６ａ，６ｂ，７ａ，７ｂの下端まで延びている。
【００３１】
各脚部６ａ，６ｂ，７ａ，７ｂの下端には連結部８が設けられており、各脚部６ａ，６ｂ，７ａ，７ｂが変形するとその影響により連結部８の帽体への連結力が弱められるおそれがあるが、本実施形態では、第１凸条９が各脚部６ａ，６ｂ，７ａ，７ｂの下端まで延びているため、各脚部６ａ，６ｂ，７ａ，７ｂの下端部の変形が抑制され、連結部８による帽体への強固な連結状態を維持することができる。
【００３２】
しかも、第１凸条９は、各脚部６ａ，６ｂ，７ａ，７ｂの両側に沿って一対設けられているので、各脚部６ａ，６ｂ，７ａ，７ｂの不用意な捻じれ変形も防止することができる。
【００３３】
各脚部６ａ，６ｂ，７ａ，７ｂは、横方向に延びる帯状の第１桁部１０により互いに隣り合うもの同士が一体に繋げられた状態となっている。第１桁部１０は、ハンモック２の周方向に環状の線上に沿って設けられており、見かけ上は環状に形成されている。第１桁部１０は、各脚部６ａ，６ｂ，７ａ，７ｂ間の間隔の過剰な広がりを抑制している。これにより、ハンモック２の人頭への装着状態を安定させることができる。また、第１桁部１０を環状に設けることで、第１桁部１０に偏った外力が付与されても、その外力は各脚部６ａ，６ｂ，７ａ，７ｂに均等に分散される。
【００３４】
第１桁部１０には、その下縁に沿って外側に突出する第２凸条１１が形成されている。第２凸条１１は、第１桁部１０の上縁側の柔軟な変形を阻害することなく第１桁部１０の強度を向上させる。
【００３５】
後方脚部７ａ，７ｂの間には帯状の第２桁部１２が設けられている。第２桁部１２は、第１桁部１０の下方位置で横方向に延び、後方脚部７ａ，７ｂを繋ぐようにして両端の夫々が各後方脚部７ａ，７ｂに一体に連設されると共に、後述する一対の懸架部１８，１８から延設された一対の支持アーム１８ｂ，１８ｂにより支持される。
【００３６】
第２桁部１２は、図２に示すように、人頭外周に略対応する形状に湾曲する第１湾曲部１３と、第１湾曲部１３の両端に連続して第１湾曲部１３と反対方向に湾曲する一対の第２湾曲部１４とを備えている。
【００３７】
第２桁部１２は、両第２湾曲部１４の湾曲により、第１湾曲部１３をハンモック２の内側に位置させている。これにより、第１湾曲部１３と帽体内面との間に比較的広い空隙を形成することができる。第１湾曲部１３は、ハンモック２の内側に位置しているが、人頭外周に略対応する形状に湾曲しているので、第１湾曲部１３が人頭に接したとき、着用者にとって違和感が少ない。
【００３８】
また、前述した通り、各脚部６ａ，６ｂ，７ａ，７ｂは第１凸条９によって変形が抑えられている。このことから、後方脚部７ａ，７ｂと一体の第２桁部１２の変形も抑えられ、第１湾曲部１３と第２湾曲部１４とによる第２桁部１２の湾曲形状が確実に維持される。
【００３９】
ハンモック２は、図１及び図２に示すように、ヘッドバンド３の前端部を係止してヘッドバンド３を支持する第１ヘッドバンド係止部１５と、ヘッドバンド３の中間部上縁から延びる延設片１６を係止してヘッドバンド３を支持する第２ヘッドバンド係止部１７とを備えている。
【００４０】
さらに、ハンモック２は、第１桁部１０の前方と後方とを繋ぎ、一対の前方脚部６ａ，６ｂと一対の後方脚部７ａ，７ｂとに接続された一対の懸架部１８，１８を備える。かかる一対の懸架部１８，１８により、第１桁部１０と共に帽体１に加わった衝撃を分散して吸収することができ、前方および後方の半円形状の脚部６ａ，６ｂ，７ａ，７ｂによる衝撃吸収能力をさらに高めることができる。
【００４１】
図１に示すように、第１ヘッドバンド係止部１５は、横長の板状に形成され、前方脚部６ａ，６ｂの間を繋いでいる第１桁部１０から、一対の懸架部１８，１８から延設されて下方に延びる一対の支持アーム１８ａ，１８ａに支持されている。
【００４２】
第２ヘッドバンド係止部１７は、前方脚部６ａ，６ｂとその夫々に隣り合う側の後方脚部７ａ，７ｂとの間を繋いでいる第１桁部１０に設けられている。第２ヘッドバンド係止部１７は、延設片１６を上下方向に段階的に移動自在に支持しており、これによって、着用者に合わせてヘッドバンド３の高さ位置を調節できるようになっている。
【００４３】
ヘッドバンド３は、前端部が第１ヘッドバンド係止部１５に係止される一対の帯状部材３ａ，３ｂによって構成されている。図１及び図２に示すように、両帯状部材３ａ，３ｂの後端部には、着用者に合わせてヘッドバンド３の周長を調節する周長調節手段１９が設けられている。
【００４４】
周長調節手段１９は、下方に延びる一対の引っ張り片１９ａを下方に引っ張ることで、ヘッドバンド３の周長を短縮させる。両引っ張り片１９ａは、摺動部１９ｂを介して耳紐４に摺動自在に接続されており、両引っ張り片１９ａを下方に引っ張ったときには、摺動部１９ｂの摺動によって両引っ張り片１９ａが耳紐４に沿って案内される。
【００４５】
図１に示すように、耳紐４は、左右で一対設けられており、前端が前方脚部６ａ，６ｂの下端に連結され、図３に示すように、後端がハンモック２の後頭部側に設けられた連結環２０（環紐類の連結部）に連結されている。
【００４６】
また、図１に示すように、左右の耳紐４には顎紐５が接続されている。なお、耳紐４と顎紐５とは、夫々、図示省略したバックル等によって長さを調節することが可能となっている。
【００４７】
耳紐４の後端が連結されている連結環２０は、図３に示すように、第２桁部１２の第１湾曲部１３の外面に設けられている。前述したように、第２桁部１２は一対の第２湾曲部１４により、第１湾曲部１３と帽体内面との間に比較的広い空隙を形成している。第１湾曲部１３の外面に連結環２０を設けたことにより、連結環２０は、上記の比較的広い空隙に収容される。よって、連結環２０と帽体内面とが極度に近接することはなく、人頭と帽体内面との間に十分な空隙が確保できる。
【００４８】
上記の構成に加え、他の実施形態として図４及び図５に示すように、前頭部側、後頭部側、及び左右の側頭部側の夫々に空隙保持部２１を設けてもよい。各空隙保持部２１は、各脚部６ａ，６ｂ，７ａ，７ｂの間に位置する第１桁部１０に設けられている。なお、空隙保持部２１以外の構成は前述した実施形態のものと同じであるため、同一の符号を付して説明を省略する。
【００４９】
各空隙保持部２１は、複数の板状部２２によって構成されている。各板状部２２は板面２３を横に向けて、隣り合う板状部２２の板面同士が対向する姿勢に設けられており、両板面２３間の間隔部分２４が上下方向に通気自在となっている。これにより、両板面２３間の間隔部分２４を通る気流をハンモック２と帽体との間に円滑に流動させることができ、各空隙保持部２１を設けても帽体内部の熱こもり等を防止して着用時の快適性を得ることができる。
【００５０】
各空隙保持部２１を構成している板状部２２の外側端縁は、図示しないが、帽体の内面に当接しているか、或いは、帽体内部でハンモック２の脚部６ａ，６ｂ，７ａ，７ｂの撓みや伸び変形に応じて帽体の内面に当接するようになっており、これによって、第１桁部１０と帽体との接触を防止して、第１桁部１０と帽体との間の空隙を保持している。このときの空隙が確実に確保されることによって、帽体内面にハンモック２が接することがなく、帽体が受ける衝撃が人頭に直接的に伝達される事態が防止できる。しかも、各空隙保持部２１の板状部２２によって帽体内部でのハンモック２の移動領域が小さな領域で規制されるので、脚部６ａ，６ｂ，７ａ，７ｂの捻じれや歪み等の過剰な変形が抑えられ、ハンモック２の耐久性が向上する。
【００５１】
このように、他の実施形態として挙げた図４及び図５に示す構成のハンモック２によれば、各空隙保持部２１を設けたことにより、着用時の快適性を阻害することなく衝撃に対する人頭の保護性能を一層確実に向上させることができ、しかも、各脚部６ａ，６ｂ，７ａ，７ｂの過剰な変形を一層確実に防止することができる。
【００５２】
なお、上記の各実施形態のハンモック２においては４つの脚部６ａ，６ｂ，７ａ，７ｂを備えるものを示したが、それに限るものではなく、脚部の数は４つ以上であっても本発明を適用することができる。この場合、後頭部側に位置する２つの脚部の間隔が比較的大きいものであることが好ましい。
【００５３】
また、上記の各実施形態のハンモック２において、一対の前方脚部６ａ，６ｂおよび後方脚部７ａ，７ｂは、それぞれ頭頂部側から連結部８に円弧状に延びて全体として半円形状に形成される場合について説明したが、半円形状に代えてアーチ型の形状としてもよい。
【符号の説明】
【００５４】
２…ハンモック、４…耳紐（環紐類）、６ａ，６ｂ…前方脚部（脚部），７ａ，７ｂ…後方脚部（脚部）、８…連結部、１０…第１桁部（桁部）、１８…懸架部。
【図１】
2016075021.tif 000003
【図２】
2016075021.tif 000004
【図３】
2016075021.tif 000005
【図４】
2016075021.tif 000006
【図５】
2016075021.tif 000007